(57)【要約】      （修正有）【課題】半固形栄養剤などの粘性流体を容器から押し出すのに有利な技術を提供する。【解決手段】変形可能な袋状の容器に充填された粘性流体を容器から押し出す押出装置１００であって、基部にそれぞれ取り付けられた支持部１０１および巻取部１１１と、第１のシート部材１０３と、を備え、巻取部１１１は、支持部１０１の表面と対向する位置に配され、表面と平行な軸を中心に回転する巻取軸１０２を有し、第１のシート部材１０３は、一端が巻取軸１０２に取り付けられ、巻取軸１０２の回転軸に対して交差する方向に延在し、端部が第１のシート部材１０３の上に載置される容器を、巻取軸１０２の回転に従って支持部１０１と巻取軸１０２との間に巻き込むことによって、容器を端部から巻取軸１０２と第１のシート部材１０３との間に挟み込み、かつ、巻取軸１０２に巻き取ることによって、容器を端部から押圧し、容器から粘性流体を押し出す。【選択図】図１
2018015331.tif 000002
【特許請求の範囲】
【請求項１】
変形可能な袋状の容器に充填された粘性流体を前記容器から押し出す押出装置であって、
基部にそれぞれ取り付けられた支持部および巻取部と、第１のシート部材と、を備え、
前記巻取部は、前記支持部の表面と対向する位置に配され、前記表面と平行な軸を中心に回転する巻取軸を有し、
前記第１のシート部材は、一端が前記巻取軸に取り付けられ、前記巻取軸の回転軸に対して交差する方向に延在し、
端部が前記第１のシート部材の上に載置される前記容器を、前記巻取軸の回転に従って前記支持部と前記巻取軸との間に巻き込むことによって、前記容器を前記端部から前記巻取軸と前記第１のシート部材との間に挟み込み、かつ、前記巻取軸に巻き取ることによって、前記容器を前記端部から押圧し、前記容器から前記粘性流体を押し出すことを特徴とする押出装置。
【請求項２】
前記押出装置は、一端が前記巻取軸に取り付けられ、前記第１のシート部材と対向する位置に配される第２のシート部材を更に含み、
前記容器を巻き取る際、前記第１のシート部材と前記第２のシート部材とで前記容器を挟むように、前記容器の上に前記第２のシート部材が配されることを特徴とする請求項１に記載の押出装置。
【請求項３】
前記第１のシート部材の前記巻取軸の回転軸に対して交差する方向の長さが、前記巻取軸の回転方向の外周の長さよりも長いことを特徴とする請求項１または２に記載の押出装置。
【請求項４】
前記巻取部は、モータを用いて前記巻取軸を駆動する駆動部を有することを特徴とする請求項１乃至３の何れか１項に記載の押出装置。
【請求項５】
前記押出装置は、前記駆動部を停止させるための停止部を更に備え、
前記支持部および前記巻取軸のうち少なくとも一方は、前記容器を巻き取るに従って前記支持部と前記巻取軸との間隔が広がるように移動自在に設けられ、
前記停止部は、前記支持部と前記巻取軸との間隔が所定の間隔以上になった場合、前記駆動部を停止させることを特徴とする請求項４に記載の押出装置。
【請求項６】
前記支持部は、前記支持部の前記容器を巻き取る方向の一端の側に配され、前記支持部の前記表面と平行な軸を中心に回転可能な取付部材を介して前記基部に取り付けられ、
前記巻取軸は、前記支持部の前記一端と他端との間の前記表面と対向する位置に配され、
前記支持部が、前記取付部材の回転軸を中心に回転することによって、前記支持部と前記巻取軸との間隔が広がることを特徴とする請求項５に記載の押出装置。
【請求項７】
前記支持部の前記表面に少なくとも１枚の保護シートが配され、
前記保護シートは、前記表面と対向する面に粘着部材を備え、
前記保護シートは、前記表面、または、当該保護シートとは別の保護シートに前記粘着部材を介して積層されることを特徴とする請求項１乃至６の何れか１項に記載の押出装置。
【請求項８】
前記支持部が、前記容器を加温するための加温部を備えることを特徴とする請求項１乃至７の何れか１項に記載の押出装置。
【請求項９】
前記押出装置が、前記容器のうち前記端部とは反対の側が前記支持部の前記表面から離れる方向に移動することを規制するための規制部を更に備えることを特徴とする請求項１乃至８の何れか１項に記載の押出装置。
【請求項１０】
前記押出装置が、前記巻取軸の回転方向を示す表示部を更に備えることを特徴とする請求項１乃至９の何れか１項に記載の押出装置。
【請求項１１】
前記押出装置が、前記巻取軸の回転した回数を記録する記録部を更に備えることを特徴とする請求項１乃至１０の何れか１項に記載の押出装置。
【請求項１２】
前記押出装置が、前記押出装置の使用状況を外部に伝送するための伝送部を更に備えることを特徴とする請求項１乃至１１の何れか１項に記載の押出装置。
【発明の詳細な説明】
【技術分野】
【０００１】
本発明は、押出装置に関する。
【背景技術】
【０００２】
飲食物や医薬品などの経口摂取が難しい患者に対して、腹壁に胃瘻を造設し、半固形栄養剤などの粘性流体を患者の胃に供給する方法が知られている。特許文献１には、エアバッグと、エアバッグと対向する位置に配された受け部材と、を有する押し出し装置において、半固形栄養剤を充填した容器をエアバッグと受け部材との間に装着することが示されている。容器の装着後、エアバッグを膨らませることによって、エアバッグと受け部材との間に配された容器が圧迫され、半固形栄養剤が容器から押し出される。
【先行技術文献】
【特許文献】
【０００３】
【特許文献１】特開２００７−２９５６２号公報
【発明の概要】
【発明が解決しようとする課題】
【０００４】
特許文献１に示されるエアバッグによる押圧では、容器に均等に圧力を掛けることが難しいため、容器の中央部と比較して周辺部に掛かる圧力が低くなり、容器の周辺部に半固形栄養剤が残存してしまう可能性がある。
【０００５】
本発明は、半固形栄養剤などの粘性流体を容器から押し出すのに有利な技術を提供することを目的とする。
【課題を解決するための手段】
【０００６】
上記課題に鑑みて、本発明の実施形態に係る押出装置は、変形可能な袋状の容器に充填された粘性流体を容器から押し出す押出装置であって、基部にそれぞれ取り付けられた支持部および巻取部と、第１のシート部材と、を備え、巻取部は、支持部の表面と対向する位置に配され、表面と平行な軸を中心に回転する巻取軸を有し、第１のシート部材は、一端が巻取軸に取り付けられ、巻取軸の回転軸に対して交差する方向に延在し、端部が第１のシート部材の上に載置される容器を、巻取軸の回転に従って支持部と巻取軸との間に巻き込むことによって、容器を端部から巻取軸と第１のシート部材との間に挟み込み、かつ、巻取軸に巻き取ることによって、容器を端部から押圧し、容器から粘性流体を押し出すことを特徴とする。
【発明の効果】
【０００７】
上記手段によって、半固形栄養剤などの粘性流体を容器から押し出すのに有利な技術が提供される。
【図面の簡単な説明】
【０００８】
【図１】本発明の実施形態に係る押出装置の構成例を示す図。
【図２】図１の押出装置の動作を示す図。
【図３】図１の押出装置に配される停止部について説明する図。
【図４】図１の押出装置の支持部に配される保護シートについて説明する図。
【図５】図１の押出装置に配される加温部について説明する図。
【図６】図１の押出装置に配される規制部について説明する図。
【図７】図１の押出装置に配される巻取軸の回転方向を示す表示部について説明する図。
【図８】図１の押出装置に配される記録部および伝送部について説明する図。
【発明を実施するための形態】
【０００９】
以下、本発明に係る押出装置の具体的な実施形態を、添付図面を参照して説明する。以下の説明及び図面において、複数の図面に渡って共通の構成については共通の符号を付している。そのため、複数の図面を相互に参照して共通する構成を説明し、共通の符号を付した構成については適宜説明を省略する。
【００１０】
図１〜８を参照して、本発明の実施形態による押出装置の構成、及び、動作について説明する。図１は、本発明の押出装置１００の構成例を示す図である。押出装置１００は、基部１１０、支持部１０１、巻取部１１１、および、シート部材１０３、１０４を備える。
【００１１】
支持部１０１および巻取部１１１は、それぞれ基部１１０に取り付けられる。支持部１０１および巻取部１１１と、基部１１０と、の間は、ねじなどを用いて取り付けてもよいし、接着剤などを用いて取り付けてもよい。
【００１２】
支持部１０１には、半固形栄養剤などの粘性流体の充填された変形可能な容器１２０が載置される。支持部１０１は、容器１２０を支持する表面１３０を備える。図１に示す構成において、支持部１０１は、取付部材１１２を介して基部１１０に固定される。巻取部１１１は、容器１２０を巻き取るための巻取軸１０２と、巻取軸１０２を駆動するための駆動部１０５と、を含む。巻取軸１０２は、支持部１０１の容器１２０が配される表面１３０と対向する位置に配される。駆動部１０５は、巻取軸１０２を電気駆動するためのモータを備え、表面１３０に平行な軸を中心に巻取軸１０２を回転させる。本実施形態において、巻取部１１１のうち駆動部１０５が基部１１０に固定される。シート部材１０３、１０４は、図１に示すように互いに対向し、一端が巻取軸１０２に取付けられ、巻取軸１０２の回転軸に対して交差する方向に延在する。シート部材１０３、１０４は、巻取軸１０２の回転に従って、巻取軸１０２に巻き取られるように配される。シート部材１０３、１０４は、図１に示すように、巻取軸１０２にねじを用いて固定されてもよいし、例えば、接着剤などを用いて固定されていてもよい。本実施形態において、巻取部１１１は、駆動部１０５を用いて電気駆動によって巻取軸１０２を回転させるが、手動で巻取軸１０２を回転させてもよい。
【００１３】
次に、図２（ａ）〜（ｄ）を用いて、本実施形態の押出装置１００が、半固形栄養剤の充填された可撓性のある袋状の容器１２０から、半固形栄養剤を押し出す動作について説明する。図２（ａ）〜（ｄ）の各図では、説明の簡単化のために、支持部１０１、巻取部１１１、および、シート部材１０３、１０４を記載し、基部１１０の記載を省略する。
【００１４】
まず、図２（ａ）に示すように、押出装置１００および半固形栄養剤の充填された容器１２０を準備する。容器１２０は、半固形栄養剤を取り出すための口部１２１を備える。
【００１５】
次いで、図２（ｂ）に示すように、容器１２０を支持部１０１の表面１３０の上に載置し、容器１２０の口部１２１とは反対側の端部１２２を、巻取軸１０２に取付けられたシート部材１０３、１０４で挟む。具体的には、シート部材１０３、１０４のうち、上側に配されるシート部材１０４をめくることによってシート部材１０３の上から一旦、退避させ、支持部１０１の上の置かれたシート部材１０３（第１のシート部材）の上に容器１２０の端部１２２を置く。その後、シート部材１０４（第２のシート部材）を容器１２０の上に置くことによって、シート部材１０３、１０４の間に容器１２０が配される。ここで、図２（ｂ）に示されるように、支持部１０１および巻取軸１０２の幅は、容器１２０の幅よりも大きくてもよい。支持部１０１、巻取軸１０２および容器１２０の幅とは、容器１２０の巻き取られる方向に対して交差する方向のことを言う。支持部１０１および巻取軸１０２の幅が容器１２０の幅よりも大きいことによって、押出装置１００において、容器１２０の幅方向に対して、均等に半固形栄養剤を押し出すための圧力を掛けることが可能となる。
【００１６】
シート部材１０３、１０４の間に容器１２０を載置した後、図２（ｃ）に示すように、駆動部１０５は、電気駆動によって巻取軸１０２を回転させる。巻取軸１０２が回転し、シート部材１０３、１０４が巻き取られるのに伴って、シート部材１０３、１０４と容器１２０との間で発生する摩擦力や吸着力などの力によって容器１２０が移動する。容器１２０の端部１２２が、まず支持部１０１の表面１３０と巻取軸１０２との間を通るように、駆動部１０５は巻取軸１０２を回転させる。巻取軸１０２の回転に従って、支持部１０１と巻取軸１０２との間に容器１２０を巻き込むことによって、容器１２０を端部１２２から巻取軸１０２とシート部材１０３との間に挟み込み、かつ、巻取軸１０２に巻き取る。これによって、容器１２０を端部１２２から押圧し、容器１２０に充填された半固形栄養剤などの粘性流体が、容器１２０の口部１２１から押し出される。シート部材１０３、１０４には、例えば、容器１２０と接触する側が滑り止め加工された布やラバーシートなどが用いられうる。
【００１７】
端部１２２が、最初に支持部１０１の表面１３０と巻取軸１０２との間を通る際、支持部１０１の表面１３０と巻取軸１０２とが、シート部材１０３および１０４を介して容器１２０に圧力を掛ける。これによって、シート部材１０３、１０４が容器１２０と密着し、巻取軸１０２に容器１２０を巻き付かせる初動を補助し、容器１２０が巻取軸１０２から外れることを抑制しうる。
【００１８】
このとき、シート部材１０３、１０４のうち、巻き取りを開始する際に容器１２０が上に載置されるシート部材１０３の巻取軸１０２の回転軸に対して交差する方向の長さが、巻取軸１０２の回転方向の外周の長さよりも長くてもよい。シート部材１０３の長さが、巻取軸１０２の回転方向の外周の長さよりも短い場合、容器１２０の端部１２２側が巻取軸１０２を一周する前にシート部材１０３が巻き取られてしまう。このため、容器１２０の巻取軸１０２への巻き付きを補助できず、容器１２０が巻取軸１０２から外れてしまう可能性がある。
【００１９】
シート部材１０３の長さを、巻取軸１０２の外周よりも長くすることによって、より確実に容器１２０を巻取軸１０２に巻き込むことができる。また、容器１２０の端部１２２を、一対のシート部材１０３、１０４で挟む際、巻取軸１０２から離れた位置に容器１２０が置かれる可能性がある。このため、シート部材１０３の長さは、例えば、巻取軸１０２の外周の長さの２倍以上、更に５倍以上の長さを有していてもよい。また例えば、シート部材１０３の長さは、容器１２０が巻き取られる際に移動する容器１２０を巻き取る方向における支持部１０１の長さと同等であってもよい。また、シート部材１０４も、巻取軸１０２の外周よりも長くしてもよい。シート部材１０３、１０４の長さを長くすることによって、シート部材１０３、１０４それぞれと容器１２０との接触面積が増加し、より確実に容器１２０を移動させ、巻取軸１０２に巻き付けられうる。
【００２０】
本実施形態において、容器１２０を巻取軸１０２に巻き付かせるためのシート部材を２枚用いているが、シート部材は、巻き取りを開始する際に容器１２０が上に配されるシート部材１０３だけであってもよい。容器１２０を支持部１０１に載置する際、巻取軸１０２と、巻取軸１０２と対向する位置のシート部材１０３と、の間に容器１２０の端部１２２を配する。これによって、容器１２０の端部１２２が、巻取軸１０２の回転に従って、支持部１０１の表面１３０と巻取軸１０２との間を通り、容器１２０を端部１２２から巻取軸１０２とシート部材１０３との間に挟み込み、かつ、巻取軸１０２に巻き取ることができる。
【００２１】
その後、図２（ｄ）に示すように、巻取軸１０２の回転に伴って、容器１２０は巻取軸１０２に巻き取られる。この間も、支持部１０１の表面１３０と巻取軸１０２とが、シート部材１０３および１０４を介して容器１２０を押圧することによって、徐々に容器１２０の体積が減少し、容器１２０内に充填された半固形栄養剤が、口部１２１から押し出される。
【００２２】
本実施形態において、シート部材１０３、１０４を用いることによって、容易に半固形栄養剤の充填された容器１２０を巻取軸１０２に巻き付けることが可能となる。容器１２０の端部１２２を巻取軸１０２に固定する方法として、巻取軸１０２に溝を設け、その溝に端部１２２を挿入することや、巻取軸１０２に端部１２２を挟むクリップを設けることが考えられる。しかしながら、容器１２０の端部１２２を巻取軸１０２に設けた細い溝に挿入することや、容器１２０の端部１２２をクリップで挟むことは、介護者にとって容易であっても、胃瘻を必要とする患者にとって必ずしも容易とは限らない。一方、本実施形態では、シート部材１０３を一旦、シート部材１０４の上から、めくることによって退避させ、シート部材１０４の上に容器１２０を置いた後、再度、シート部材１０３を容器１２０の上に置くだけでよい。このため、患者にとって、より容易に押出装置１００に半固形栄養剤の充填された容器１２０をセットすることが可能となり、患者や介護者の負担の低減にもつながりうる。
【００２３】
また、特許文献１に示される押し出し装置では、エアバッグを膨らませることによって、容器が圧迫され、半固形栄養剤が押し出される。容器が圧迫され始めた当初は、半固形栄養剤が速い速度で押し出される。しかしながら、エアバッグによる押圧では容器に均等に圧力を掛けることが難しく、例えば容器の中央部と比較して周辺部に掛かる圧力が低くなりうる。このため、容器内の半固形栄養剤の残量が少なくなるにつれて、容器の周辺部に半固形栄養剤が残存してしまう。半固形栄養剤が容器の周辺部に残った場合、容器を押し出し装置から取り出し、手技によって残液を絞り出すなど、介護者の負担が増加しうる。また、半固形栄養剤を押し出す速度が変化するため、半固形栄養剤が押し出されるまでの時間を予測することが難しい。
【００２４】
これに対して、本実施形態の押出装置１００は、容器１２０を端部１２２から巻取軸１０２に巻き付かせることによって、容器１２０内の体積が減るに従って端部１２２から内圧が、容器１２０の幅方向にわたってより均等に発生しうる。これによって、容器１２０に充填された半固形栄養剤が、容器１２０内に残留することを抑制することができる。このため、手技によって残液を絞り出す必要性が抑制され、介護者の負担を軽減できる。また、巻取軸１０２の回転速度を調整することによって、容器１２０の口部１２１と端部１２２との間の長さから、半固形栄養剤が押し出されるまでの時間を容易に予測することができる。
【００２５】
また、本実施形態の押出装置１００は、駆動部１０５が有するモータを用いて巻取軸１０２を電気駆動するため、手動ハンドルなどを用いて注入する場合と比較して、人力の強い力を必要とせず、患者や介護者の負担を低減することが可能となる。また例えば、押出装置１００は、駆動部１０５のモータを動作させるためのバッテリを有していてもよい。駆動部１０５を、バッテリを用いて駆動させることによって、押出装置１００の設置場所を選ばずに使用することが可能となり、患者の日常生活や社会活動に対する制限が抑制される。このため、患者のＱＯＬ（Ｑｕａｌｉｔｙ  Ｏｆ  Ｌｉｆｅ）の向上が可能となる。
【００２６】
次に、本実施形態の押出装置１００のこれまでに説明した基部１１０、支持部１０１、巻取軸１０２および一対のシート部材１０３、１０４以外の構成について説明する。
【００２７】
容器１２０の口部１２１と胃瘻造設箇所との間は、チューブ（不図示）によって接続され、容器１２０から押し出された半固形栄養剤は、チューブ（不図示）を介して患者に注入される。押出装置１００において、容器１２０の巻き取りが完了した後も巻取軸１０２が回転を続けた場合、容器１２０の口部１２１に接続されたチューブ（不図示）まで巻き取ってしまう可能性がある。チューブ（不図示）を巻き取ってしまった場合、胃瘻造設箇所などが引っ張られるなど、安全面に問題がある。そのため、押出装置１００は、駆動部１０５による巻取軸１０２の回転を停止させるための停止部を備えていてもよい。
【００２８】
例えば、支持部１０１および巻取軸１０２のうち少なくとも一方が、容器１２０を巻き取るに従って支持部１０１と巻取軸１０２との間隔が広がるように、移動自在に設けられる。容器１２０が巻取軸１０２に巻き取られるに従って、支持部１０１と巻取軸１０２との間隔が広がり、支持部１０１と巻取軸１０２との間隔が所定の間隔以上になった場合、停止部が、駆動部１０５による巻取軸１０２の回転を停止させてもよい。
【００２９】
本実施形態において、容器１２０の過剰な巻き取りを防止する安全機構を実現するために、図３に示す停止部３００が設けられる。ここで、停止部３００を用いた容器１２０の巻き取りの停止方法について説明する。
【００３０】
まず、支持部１０１は、表面１３０の側とは反対側（巻取軸１０２から離れる側）に移動可能なように基部１１０に取り付けられる。例えば、支持部１０１全体が、表面１３０の側とは反対の方向に沈み込んでもよい。また、図３に示すように、支持部１０１が、支持部１０１の容器１２０を巻き取る方向の一端の側に配され支持部１０１の表面１３０と平行な軸を中心に回転可能な取付部材１１２を介して、基部１１０に取り付けられてもよい。巻取軸１０２は支持部１０１の取付部材１１２が配された一端と他端との間に配される。このため、支持部１０１が取付部材１１２の回転軸を中心に回転することによって、支持部１０１は取付部材１１２の回転軸を中心として、表面１３０の側とは反対側に沈み込むことができる。これによって、支持部１０１と巻取軸１０２との間隔が広がる。
【００３１】
次いで、容器１２０が巻取軸１０２に巻き取られ、支持部１０１と巻取軸１０２との間隔が、所定の間隔よりも広くなったとき、沈み込んだ支持部１０１が、支持部１０１の表面１３０と反対の面に対向して配された停止部３００のスイッチ３０１を押下する。スイッチ３０１が押下されることによって、停止部３００が動作し、駆動部１０５による巻取軸１０２の回転を停止させる。例えば、図３の構成に示すように、スイッチ３０１ａが支持部１０１に押下されることによって、梃子の原理で支持部１０１に隣接して配されたスイッチ３０１ｂを押してもよい。スイッチ３０１ｂが押下されることによって、停止部３００が動作し、駆動部１０５による巻取軸１０２の回転が停止する。押出装置１００が停止部３００を備えることによって、容器１２０の口部１２１に接続されるチューブの過剰な巻き取りを抑制し、安全性の向上した押出装置が実現される。
【００３２】
半固形栄養剤が充填された容器１２０の口部１２１は、図２に示すように、容器１２０の他の部分と比較して厚みが厚い場合が多い。このため、半固形栄養剤が押し出され、容器１２０の口部１２１付近が支持部１０１と巻取軸１０２との間に挟まれると、支持部１０１の表面１３０と巻取軸１０２との間隔が大きく広がりうる。このため、停止部３００は、容器１２０に充填された半固形栄養剤のほぼ全量が押し出されると同時に駆動部１０５による巻取軸１０２の回転を停止させることが可能となる。
【００３３】
本実施形態において、支持部１０１が移動することによって、支持部１０１の表面１３０と巻取軸１０２との間の間隔が広がる例を示したが、これに限られることはない。例えば、巻取部１１１が移動することによって、支持部１０１の表面１３０と巻取軸１０２との間の間隔が広がってもよい。この場合、巻取部１１１は、基部１１０に対して移動可能な取付部材を介して、基部１１０に取り付けられうる。また、本実施形態において、スイッチ３０１を押下することによって停止部３００が動作する例を示したが、これに限られることはない。例えば、押出装置１００が、支持部１０１の表面１３０と巻取軸１０２との間の間隔を検知するためのセンサを備えていてもよいし、容器１２０の口部１２１の位置を検知するセンサを備えていてもよい。また、停止部は、巻取軸１０２の回転速度と容器１２０の巻き取り方向の長さとに応じて設定されるタイマを用いて、駆動部１０５による巻取軸１０２の回転を停止させてもよい。また、停止部は、容器１２０の重量を検知することによって、駆動部１０５による巻取軸１０２の回転を停止させてもよい。
【００３４】
また、図４に示すように、押出装置１００の支持部１０１の表面１３０上に、保護シート４００が配されてもよい。保護シート４００は、表面１３０と対向する面に粘着部材を備え、表面１３０に貼り付けられる。保護シート４００は、１枚だけ支持部１０１の表面１３０に貼り付けられてもよいし、複数枚の保護シート４００が表面１３０に粘着部材を介して積層されてもよい。押出装置１００の使用において、容器１２０の口部１２１から支持部１０１に半固形栄養剤が漏れる可能性がある。この場合、保護シート４００を１枚ずつ剥がすことによって、容器１２０から支持部１０１の表面１３０上に漏れた半固形栄養剤などの汚れを押出装置１００から容易に取り除くことができ、衛生面にも配慮した押出装置が実現される。
【００３５】
更に、図５に示すように、押出装置１００の支持部１０１が、容器１２０を加温するための加温部５００を備えていてもよい。加温部５００は、支持部１０１の内部に内蔵されたヒータ線であってもよい。ヒータ線は、支持部１０１の表面１３０の反対側の面に配されてもよい。また例えば、加温部５００は、支持部１０１の表面１３０に配されたフィルムヒータであってもよい。冷たい半固形栄養剤が患者に注入された場合、患者が胃に違和感を覚える可能性がある。そこで、支持部１０１が容器１２０を加温するための加温部５００を備え、容器１２０内の半固形栄養剤を適宜、加温することによって、注入時の患者の違和感を低減することが可能となる。
【００３６】
また、容器１２０は、巻取軸１０２に巻き取られる際、巻取軸１０２に最初に巻き取られる端部１２２とは反対の口部１２１の側が、支持部１０１の表面１３０から離れる方向６０１に立ち上がる場合がある。容器１２０の口部１２１の側が立ち上がった場合、口部１２１に接続されたチューブ（不図示）や容器１２０の口部１２１付近が、折れてしまう場合がある。チューブや容器１２０の口部１２１付近が折れてしまった場合、半固形栄養剤が出難くなる場合や、半固形栄養剤が出なくなってしまう場合がある。そこで、押出装置１００は、図６に示すように、支持部１０１のうち容器１２０の配される部分の上に、容器１２０の口部１２１の側が、支持部１０１から離れる方向６０１への移動を規制する規制部６００を備えていてもよい。規制部６００は、例えば、基部１１０に取り付けられ、支持部１０１のうち容器１２０の配される部分の上のうち少なくとも一部を覆いうる。規制部６００は、容器１２０を支持部１０１の表面１３０に配する際の妨げにならないように、例えば、脱着可能に基部１１０に取り付けられてもよいし、また例えば、蝶番などを用いて基部１１０に取り付けられていてもよい。また、規制部６００は、例えば、支持部１０１、巻取軸１０２および容器１２０全体を覆っていてもよい。
【００３７】
また、押出装置１００が、図７（ａ）、（ｂ）に示すように、駆動部１０５を覆うためのカバー部材７０１を備え、カバー部材７０１に巻取軸１０２の回転方向を示す表示部７００を備えていてもよい。表示部７００は、例えば図７（ａ）に示すように、容器１２０を巻き取るために巻取軸１０２が正転している間と、巻き取った容器１２０を元に戻すために巻取軸１０２が反転している間とで、点灯する色が異なるランプであってもよい。巻取軸１０２の正転時と反転時とで異なる色のランプが点灯することによって、動作状況の確認が容易になる。また、表示部７００は、例えば図７（ｂ）に示すように、容器１２０が巻き取られる、または、巻き取られた容器１２０を元に戻す方向を示す矢印などのマークを表示してもよい。この場合、表示部７００は、例えば、ランプを用いてマークを表示してもよいし、また例えば、ディスプレイを用いてマークを表示してもよい。
【００３８】
カバー部材７０１には、図７（ａ）、（ｂ）に示すように、押出装置１００の電源スイッチ７０２や巻取軸１０２の回転速度を調整するための調整ノブ７０３が配されうる。例えば、電源スイッチ７０２をオンすることによって巻取軸１０２が回転し始める。更に、調整ノブ７０３によって、半固形栄養剤の注入時間が、例えば標準的な４〜１０分に調整される。
【００３９】
また、押出装置１００は、図８に示すように、巻取軸１０２の回転した回数を記録する記録部８００を備えていてもよい。記録部８００は、例えば、アナログやデジタルのカウンタであってもよい。記録部８００が巻取軸１０２の回転した回数を記録することによって、押出装置１００の使用量を確認することができる。例えば、押出装置１００の貸し出しを行った会社が、押出装置１００の使用量によって課金する額を決定することが可能となる。
【００４０】
更に、押出装置１００は、図８に示すように、押出装置１００の使用状況を外部に伝送するための伝送部８０１を備えていてもよい。伝送部８０１は、例えばインターネットなどのネットワークを介して、押出装置１００の使用状況を外部に伝送する。例えば、押出装置１００の電源が入った際に、電源が入ったことを示す信号を外部に送信してもよい。患者の家族や医師、看護師などが患者から離れた場所にいる場合においても、患者の押出装置１００の使用状況が確認できることによって監視機能が向上し、患者の動向を把握しやすくなる。また例えば、伝送部８０１は、上述の記録部８００と連動し、巻取軸１０２が回転した回数を外部に伝送してもよい。巻取軸１０２が回転した回数を伝送することによって、患者の家族や医師、看護師などが、半固形栄養剤がどの程度、患者に供給されたかを把握できる。
【００４１】
また、押出装置１００は、上述したように駆動部１０５を動作させるためのバッテリ８０２を備えていてもよい。図８に示すように、押出装置１００がバッテリ８０２を備えることによって、押出装置１００を使用する場所の自由度が広がり、患者の日常生活や社会活動に対する制限が抑制される。
【００４２】
以上、説明した停止部３００、保護シート４００、加温部５００、規制部６００、表示部７００、記録部８００、伝送部８０１などの各構成は、すべての構成が押出装置１００に組み込まれていてもよいし、一部の構成が組み込まれてもよい。一部の構成を押出装置１００に組み込む場合、それぞれの構成は自由に選択してもよい。
【００４３】
以上、本発明に係る実施形態を示したが、本発明はこれらの実施形態に限定されないことはいうまでもなく、本発明の要旨を逸脱しない範囲で、上述した実施形態は適宜変更、組み合わせが可能である。
【符号の説明】
【００４４】
１００：押出装置、１０１：支持部、１０２：巻取軸、１０３、１０４：シート部材、１２０：容器
【図１】
2018015331.tif 000003
【図２】
2018015331.tif 000004
【図３】
2018015331.tif 000005
【図４】
2018015331.tif 000006
【図５】
2018015331.tif 000007
【図６】
2018015331.tif 000008
【図７】
2018015331.tif 000009
【図８】
2018015331.tif 000010